(57)【要約】【課題】回転ドラムの底部からドラム回転軸を伝って回転駆動機構の側に廃液が流れ込むことを防止可能な回転ドラム式廃液遠心分離機を提案すること。【解決手段】回転ドラム式廃液遠心分離機１では、回転ドラム５の底板７の裏面９に液切り板１７が取り付けられている。遠心分離動作が終了して回転ドラム５が止まった後に、回転ドラム５内の残留油が底板７に流れ落ちて廃液排出穴８から裏面９の側に流れ出る。流れ出た油は、廃液排出穴８を取り囲む液切り板１７を伝って、下側の廃液回収パン１２に落下してそこに回収される。よって、回転ドラム５の停止後に、油が回転ドラム５の裏面９を伝わりその中心側に向かい、ドラム回転軸１０の外周面１０ａを伝って廃液回収パン１２の下側の回転駆動機構１１に侵入するという弊害を防止できる。【選択図】図１
2009195826.tif 000002
【特許請求の範囲】
【請求項１】
多孔質素材から形成された油などの廃液が付着している部品（Ｗ）を入れるための部品投入かご（１５）と、
上端開口（６）から前記部品投入かご（１５）を受け入れ可能な回転ドラム（５）と、
前記回転ドラム（５）の封鎖底部（７）の下方に配置された廃液回収パン（１２）と、
前記回転ドラム（５）の封鎖底部（７）の裏面（９）に上端が連結固定されているドラム回転軸（１０）とを有し、
前記回転ドラム（５）の封鎖底部（７）における外周縁部分には、当該回転ドラム（５）内の廃液を前記廃液回収パン（１２）に落下させるための廃液排出穴（８）が形成されており、
前記廃液回収パン（１２）には、前記回転ドラム（５）が遊びのある状態で貫通して下方に延びている軸穴（１４）が形成されており、
前記回転ドラム（５）の封鎖底部（７）の裏面（９）における前記廃液排出穴（８）と前記軸穴（１４）の間の部位には、当該裏面（９）から下方に突出した液切り用突起（１７、１７Ａ）が形成されていることを特徴とする回転ドラム式廃液遠心分離機（１）。
【請求項２】
請求項１に記載の回転ドラム式廃液遠心分離機（１）において、
前記液切り用突起（１７）は、前記廃液排出穴（８）における前記裏面（９）の中心側の部位および円周方向の両側の部位を取り囲む状態に形成されていることを特徴とする回転ドラム式廃液遠心分離機（１）。
【請求項３】
請求項１に記載の回転ドラム式廃液遠心分離機（１）において、
前記液切り用突起は、前記回転ドラム（５）の前記封鎖底部（７）の裏面（９）に形成した円環状の突起（１７Ａ）であることを特徴とする回転ドラム式廃液遠心分離機（１）。
【請求項４】
請求項１ないし３のうちのいずれかの項に記載の回転ドラム式廃液遠心分離機（１）において、
前記廃液排出穴（８）は、前記回転ドラム（５）の前記封鎖底部（７）の外周縁部分に沿って所定の角度間隔で複数個所に形成されていることを特徴とする回転ドラム式廃液遠心分離機（１）。
【発明の詳細な説明】
【技術分野】
【０００１】
本発明は、油などの廃液が付着しているボルト、ナットなどの部品を網かごに入れた状態で回転ドラム内に投入し、回転ドラムを高速回転して部品に付着している廃液を遠心分離する回転ドラム式廃液遠心分離機に関するものである。
【背景技術】
【０００２】
従来から、遠心力を利用して、各種の部品に付着した油などの廃液を除去するための回転ドラム式遠心分離機が知られている。図５に示すように、従来の回転ドラム式遠心分離機１００は、油などが付着している部品を投入するメッシュ状の円筒かご１０１と、円筒かご１０１を上端開口から受け入れ可能な回転ドラム１０２と、この回転ドラム１０２の底に同軸状態に連結固定したドラム回転軸１０３と、ドラム回転軸１０３を回転駆動するための回転駆動機構１０４と、遠心分離されて回転ドラム１０２の底の外周部分に集まった廃液を当該回転ドラム１０２の底から落下させるための廃液排出穴１０５と、廃液排出穴１０５から落下する廃液を回収するために回転ドラム１０２の下方に配置されている廃液回収パン１０６とを備えている。なお、回転ドラム式遠心分離機は特許文献１〜３に開示されている。
【特許文献１】特開平０９−９４４８４号公報
【特許文献２】実開平０３−２２５４９号公報
【特許文献３】特開昭５０−１４２４０４号公報
【発明の開示】
【発明が解決しようとする課題】
【０００３】
回転ドラム１０２が高速回転している遠心分離動作中においては、部品から遠心分離された廃液は回転ドラム１０２の外周側に飛ばされる。したがって、回転ドラム１０２の廃液排出穴１０５から下方に落下する油が、回転している回転ドラム１０２の底部の裏面を伝って中心側に向かうことはない。しかしながら、回転ドラム１０２が停止した直後においては、その内周面部分、底部外周縁部分などに遠心分離された廃液が残っている。このような廃液が廃液排出穴１０５から下方に流れ出すと、図５において矢印で示すように、回転ドラム１０２の裏面１０２ａを伝って内側に移動する可能性がある。
【０００４】
回転ドラム１０２の裏面中心にはドラム回転軸１０３が取り付けられており、回転ドラム１０２の下方に配置されている廃液回収パン１０６の中心にはドラム回転軸１０３が遊びのある状態で貫通している軸穴１０７が形成されている。廃液が回転ドラム１０２の裏面１０２ａを伝って中心側に移動すると、そこに取り付けられているドラム回転軸１０３の外周面を伝って落下する。ドラム回転軸１０３の外周面を伝って落下する廃液は廃液回収パン１０６に回収されることなく、その下側の回転駆動機構１０４の側に流れ落ち、回転駆動機構１０４の部分あるいはその外周部分に廃液が溜まり、これらの部分が廃液で汚れてしまう。例えば、回転駆動機構１０４のブレーキ、Ｖベルトなどに廃液が付着してしまうと、それらの動作性能の低下、耐久性の低下を招いてしまう。
【０００５】
本発明の課題は、このような点に鑑みて、回転ドラムの底部からドラム回転軸を伝って回転駆動機構の側に廃液が流れ込むことを防止可能な回転ドラム式廃液遠心分離機を提案することにある。
【課題を解決するための手段】
【０００６】
上記の課題を解決するため、本発明の回転ドラム式廃液遠心分離機は、
多孔質素材から形成された油などの廃液が付着している部品を入れるための部品投入かごと、
上端開口から前記部品投入かごを受け入れ可能な垂直に配置した回転ドラムと、
この回転ドラムの封鎖底部の下方に配置された廃液回収パンと、
前記回転ドラムの封鎖底部の裏面に同軸状態で上端が固定されているドラム回転軸とを有し、
前記回転ドラムの封鎖底部における外周縁部分には、当該回転ドラム内の廃液を前記廃液回収パンに落下させるための廃液排出穴が形成されており、
前記廃液回収パンには、前記回転ドラムが遊びのある状態で貫通して下方に延びている軸穴が形成されており、
前記回転ドラムの封鎖底部の裏面における前記廃液排出穴と前記軸穴の間の部位には、当該裏面から下方に突出した液切り用突起が形成されていることを特徴としている。
【０００７】
本発明の回転ドラム式廃液遠心分離機では、回転ドラムの封鎖底部の裏面に液切り用突起が形成されている。遠心分離動作を終了して回転ドラムの回転が停止した後には、回転ドラム内に残留している廃液が回転ドラムの底に流れ落ちり、その外周縁部分に形成されている廃液排出穴から下側に流れ出す。廃液排出穴から下側に流れ出た廃液の一部は、回転ドラムの裏面を伝わりその中心側に向けて移動する。中心側に向かう廃液は、その途中に配置されている液切り用突起においてせき止められ、そこから廃液回収パンに落下する。したがって、廃液がドラム回転軸に到達し、その外周面を伝って廃液回収パンの下側の回転駆動機構の側に侵入することが防止される。
【０００８】
ここで、前記液切り用突起は、前記廃液排出穴における前記裏面の中心側の部位および円周方向の両側の部位を取り囲む状態に形成されていることが望ましい。このようにすれば、廃液排出穴から下側に流れ出た廃液が回転ドラムの裏面を伝って流れることが阻止されるので、流れ出た廃液を廃液排出穴から廃液回収パンに落下させることができる。
【０００９】
また、前記液切り用突起を、前記回転ドラムの前記封鎖底部の裏面に円環状に形成した突起としてもよい。このようにすれば、回転ドラムの裏面における廃液排出穴が形成されている外周縁部分の側と、軸穴が形成されている中心側の部分とを、円環状の液切り用突起によって完全に分離できる。
【００１０】
次に、前記廃液排出穴は、一般的には、前記回転ドラムの前記封鎖底部の外周縁部分に沿って所定の角度間隔で複数個所に形成される。
【発明の効果】
【００１１】
本発明の回転ドラム式廃液遠心分離機では、回転ドラムの封鎖底部の裏面に液切り用突起が形成されているので、回転ドラムの裏面を伝わりその中心側に向かう廃液をせき止めて、そこから廃液回収パンに落下させて、廃液回収パンに回収することができる。したがって、廃液がドラム回転軸の外周面を伝って廃液回収パンの下側の回転駆動機構の側に侵入するという弊害を防止できる。
【発明を実施するための最良の形態】
【００１２】
以下に、図面を参照して、本発明を適用した回転ドラム式廃液遠心分離機の実施の形態を説明する。
【００１３】
（全体構成）
図１は本実施の形態に係る回転ドラム式廃液遠心分離機の主要部分を示す概略構成図である。回転ドラム式廃液遠心分離機１は、円筒状の分離機ハウジング２を備えており、この分離機ハウジング２の上端開口部３には開閉蓋４が取り付けられている。分離機ハウジング２の内部には、同軸状態で円筒形状の回転ドラム５が配置されている。回転ドラム５は上端が開口部６となっており、下端は円盤状の底板７（封鎖底部）によって封鎖されている。底板７における外周縁部分には、その円周方向に沿って９０度の角度間隔で４箇所に廃液排出穴８が形成されている。
【００１４】
回転ドラム５の底板７の裏面９には同軸状にドラム回転軸１０の上端部が連結固定されている。ドラム回転軸１０は裏面９から下方の垂直に延びており、その下端部は、分離機ハウジング２の底部に配置されている回転駆動機構１１まで延びている。回転駆動機構１１には、駆動モータ、この駆動モータの回転を減速してドラム回転軸１０に伝達するためのプーリ、Ｖベルトなどの回転伝達機構、ドラム回転軸１０の回転を止めるためのブレーキ機構などが搭載されている。
【００１５】
回転ドラム５の底板７と下側の回転駆動機構１１の間は廃液回収パン１２によって仕切られている。廃液回収パン１２の外周縁部分１３は分離機ハウジング２の内周面に固定されており、その中心部には、ドラム回転軸１０が遊びのある状態で貫通している軸穴１４が形成されている。
【００１６】
ここで、回転ドラム５には、その上端の開口部６から、廃液、例えば油が付着しているボルト、ナットなどの部品Ｗが投入された円筒状の金網かご１５（部品投入かご）を受け入れ可能である。金網かご１５は、回転ドラム５よりも一回り小さな形状のものであり、上端が開口部１６となっており、ここから部品Ｗが投入される。
【００１７】
図２は回転ドラム５の底板７の裏面９を示す説明図である。底面７には、その外周縁側の部位に、円周方向に９０度の角度間隔で４箇所に廃液排出穴８が形成されている。各廃液排出穴８は、多数の細かな貫通穴を備えている。また、底板７の裏面９には、各廃液排出穴８と中心の軸穴１４の間に液切り板１７（液切り用突起）が取り付けられている。本例の液切り板１７は、各廃液排出穴８における裏面中心側の部位１７ａおよび裏面円周方向の両側の部位１７ｂ、１７ｃを覆うコの字状に折り曲げた金属板から形成されている。また、各液切り板１７は裏面９から下方に垂直に突出している。
【００１８】
（液切り板の作用効果）
この構成の回転ドラム式廃液遠心分離機１の動作を説明する。部品Ｗが投入された金網かご１５を、図１において想像線で示すように回転ドラム式廃液遠心分離機１の上端開口部３から回転ドラム５に入れ、開閉蓋４を閉じる。しかる後に、回転駆動機構１１を駆動して回転ドラム５を高速回転させる。回転ドラム５と共に金網かご１５が高速回転し、その内部に投入されている部品Ｗに付着していた油が遠心分離され外周側に飛散して回転ドラム５の内周面５ａに付着し、当該内周面５ａを伝って流れ落ちる。回転ドラム５の底に流れ落ちた油は、底板７の外周縁部分に形成されている廃液排出穴１７から回転ドラム５の下側に落下し、その下方に配置されている廃液回収パン１２に回収される。
【００１９】
図３は遠心分離動作が終了して回転ドラム５の回転が止まった後における油の流れを示す説明図である。遠心分離動作が終了して回転ドラム５の回転が止まると、回転ドラム５の内周面５ａなどに付着している残留油が内周面に沿って流れ落ち、回転ドラム５の底板７に形成されている廃液排出穴８から裏面側に流れ出る。裏面側に流れ出た油は液切り板１７の垂直側面１７ｄを伝って下方に流れ、この液切り板１７の下端から廃液回収パン１２に落下する。したがって、回転ドラム５が停止した後において、廃液排出穴８から下側に流れ出た油が中心側に流れてドラム回転軸１０の外周面１０ａを伝って流れ落ちて、廃液回収パン１２の下側の回転駆動機構１１の側に侵入することがない。よって、回転駆動機構１１、あるいは、回転駆動機構１１が配置されている分離機ハウジング２の底部が油まみれになり、回転駆動機構１１の部品の動作劣化、耐久性の低下などが引き起こされることが無い。
【００２０】
なお、液切り板１７は、裏面９から垂直に下方に延びているが、この方向は垂直でなくてもよい。また、液切り板１７の裏面からの突出量は個々の遠心分離機に応じて適宜設定することができる。
【００２１】
（その他の実施の形態）
上記の例では、液切り板１７を用いて各廃液排出穴の部分を三方から囲っているが、少なくとも、廃液排出穴８と中心側の軸穴１４の間の部分を仕切る状態に配置すればよい。
【００２２】
また、液切り板１７として図４に示すように一定幅の円環状の板１７Ａを裏面９に取り付けても良い。勿論、円環状以外の閉鎖形状、例えば、多角形状に折り曲げた板を用いても良い。さらには、回転ドラム５の底板７に液切り用突起を一体形成することも可能である。
【００２３】
なお、図４（ａ）に示すように、廃液排出穴８の個数は上記の例における４箇所に限定されるものではないことは勿論である。
【図面の簡単な説明】
【００２４】
【図１】本発明を適用した回転ドラム式廃液遠心分離機を示す概略構成図である。
【図２】図１の回転ドラムの裏面を示す説明図である。
【図３】回転ドラムの裏面に付けた液切り板の作用効果を示す説明図である。
【図４】液切り板の別の例を示す説明図である。
【図５】従来の回転ドラム式廃液遠心分離機の問題点を示す説明図である。
【符号の説明】
【００２５】
１    回転ドラム式廃液遠心分離機
２    分離機ハウジング
３    上端開口部
４    開閉蓋
５    回転ドラム
５ａ  内周面
６    開口部
７    底板
８    廃液排出穴
９    裏面
１０  ドラム回転軸
１１  回転駆動機構
１２  廃液回収パン
１３  外周縁部分
１４  軸穴
１５  金網かご
１６  開口部
１７、１７Ａ  液切り板
Ｗ    部品
【図１】
2009195826.tif 000003
【図２】
2009195826.tif 000004
【図３】
2009195826.tif 000005
【図４】
2009195826.tif 000006
【図５】
2009195826.tif 000007